(57)【要約】      （修正有）【課題】フルカラー／モノクロにＪＯＢが切り替わっても同一の特性を示す処理系が行われることで特にグレー背景イメージ等を使用したカラー／モノクロ混在文書に対して最適な出力画像が得られることを目的とする。【解決手段】印刷モード情報により自動判定モードが設定された場合にフルカラー／モノクロ混在複数ページ文書においてページ毎にモノクロ処理、フルカラー処理が適宜切り替えられた場合にも特に背景データがグレースケールであった場合の濃度特性の差異をなくし、且つデータ処理的にも最適なデータ処理が実現可能となり、画像品質とパフォーマンスの両立を効率的に行うことが可能となる。【選択図】図１
2006050298.tif 000002
【特許請求の範囲】
【請求項１】
ホストコンピュータから入力される画像データに基づいて所定の画像処理を行い、前記画像データがフルカラー情報かモノクロ情報かを自動的に判別するための自動判別モードを少なくとも備え、プリンタエンジンから複数の色材を用いて各色別の印刷データの出力を制御するカラー印刷装置の画像処理システムであって、
前記自動判別モードに設定するための設定手段と、
前記入力された画像データを複数の色材の色数に対応した複数の色成分データへと変換して出力する色変換手段と、
前記色変換処理手段により出力された複数の色成分データを一定の線形性を保持する複数の線形色濃度データに変換する濃度補正処理手段と、
前記設定手段により設定された結果に基づいて予め記憶しておいた出力濃度特性を設定する出力濃度設定手段と、
前記出力濃度設定手段で設定された濃度特性に従って前記濃度補正手段により得られた複数の線形色濃度データを補正する出力濃度補正処理手段と、
前記出力濃度補正処理手段により得られた複数の線形色濃度データを擬似階調データに変換する擬似階調処理手段と、
前記擬似階調処理手段により得られた擬似階調データの潜像画像データを形成する形成手段と、
前記形成手段により形成された潜像画像データを出力画像として印字出力する出力手段とを有することを特徴とする画像処理システム。
【請求項２】
前記出力濃度設定手段は、フルカラーデータの出力濃度を設定するフルカラー濃度設定手段と、
モノクロデータの出力濃度を設定するモノクロ濃度設定手段とを有することを特徴とする請求項１に記載された画像処理システム。
【請求項３】
前記出力濃度特性は少なくともフルカラーデータの再現性を考慮したフルカラー濃度特性とモノクロデータの再現性を考慮したモノクロ濃度特性とを有することを特徴とする請求項１または請求項２に記載された画像処理システム。
【請求項４】
前記設定手段は、ユーザが任意に設定可能なＵＩ操作手段と、
前記ＵＩ操作手段により印刷モードを決定する決定手段とを有することを特徴とする請求項１に記載された画像処理システム。
【請求項５】
前記決定手段は入力される画像データの情報に対して少なくとも自動判別モード、フルカラーモード、モノクロモードの３種類の印刷モードから決定され、自動判別モードに設定された場合には自動的にフルカラー濃度設定手段とモノクロ濃度設定手段に同一の濃度特性を有する出力濃度特性を設定することを特徴とする請求項１または４に記載された画像処理システム。
【請求項６】
ホストコンピュータから入力される画像データに基づいて所定の画像処理を行い、前記画像データがフルカラー情報かモノクロ情報かを自動的に判別するための自動判別モードを少なくとも備え、プリンタエンジンから複数の色材を用いて各色別の印刷データの出力を制御するカラー印刷装置の画像処理方法であって、
前記自動判別モードに設定するための設定工程と、
前記入力された画像データを複数の色材の色数に対応した複数の色成分データへと変換して出力する色変換工程と、
前記色変換処理工程により出力された複数の色成分データを一定の線形性を保持する複数の線形色濃度データに変換する濃度補正処理工程と、
前記設定工程により設定された結果に基づいて予め記憶しておいた出力濃度特性を設定する出力濃度設定工程と、
前記出力濃度設定工程で設定された濃度特性に従って前記濃度補正工程により得られた複数の線形色濃度データを補正する出力濃度補正処理工程と、
前記出力濃度補正処理工程により得られた複数の線形色濃度データを擬似階調データに変換する擬似階調処理工程と、
前記擬似階調処理工程により得られた擬似階調データの潜像画像データを形成する形成工程と、
前記形成工程により形成された潜像画像データを出力画像として印字出力する出力工程とを有することを特徴とする画像処理システムの画像処理方法。
【請求項７】
前記出力濃度設定工程は、フルカラーデータの出力濃度を設定するフルカラー濃度設定工程と、
モノクロデータの出力濃度を設定するモノクロ濃度設定工程とを有することを特徴とする請求項６に記載された画像処理システムの画像処理方法。
【請求項８】
前記出力濃度特性は少なくともフルカラーデータの再現性を考慮したフルカラー濃度特性とモノクロデータの再現性を考慮したモノクロ濃度特性とを有することを特徴とする請求項１または請求項７に記載された画像処理システムの画像処理方法。
【請求項９】
前記設定工程は、ユーザが任意に設定可能なＵＩ操作工程と、
前記ＵＩ操作工程により印刷モードを決定する決定工程とを有することを特徴とする請求項６に記載された画像処理システムの画像処理方法。
【請求項１０】
前記決定工程は入力される画像データの情報に対して少なくとも自動判別モード、フルカラーモード、モノクロモードの３種類の印刷モードから決定され、自動判別モードに設定された場合には自動的にフルカラー濃度設定工程とモノクロ濃度設定工程に同一の濃度特性を有する出力濃度特性を設定することを特徴とする請求項６または９に記載された画像処理システムの画像処理方法。
【発明の詳細な説明】
【技術分野】
【０００１】
本発明は、像担持体上に順次形成される複数のカラー可視像を転写材上に順次重ねて転写するカラー画像印刷装置およびその方法に関し、特に入力画像データの画像特性を再現可能なカラー画像印刷装置およびその方法に関するものである。
【背景技術】
【０００２】
コンピュータの出力装置として、レーザビームプリンタ（以下「ＬＢＰ」という）などの電子写真方式を用いた情報記録装置が広く使われている。これらの情報記録装置は、その高品質な印刷結果、静粛性および高速性などの多くのメリットにより、デスクトップパブリッシングの分野を急速に拡大させる要因となっている。さらに、ホストコンピュータやプリンタの画像生成部であるコントローラなどの高性能化によりカラー画像を用意に扱えるようになり、電子写真方式のカラープリンタも開発され、従来からのモノクロ画像に印刷のみならず、カラー画像の印刷も普及しつつある。
【０００３】
さらに、画像形成装置の最近の進歩とともに、市場ニーズのレベルも高くなり従来の４色画像形成装置に対して現像剤の色数を増やす電子写真方式の画像形成装置が提案・一部実現されている。それらは、従来の一般的なシアン、マゼンタ、イエロー、ブラックの４色に加え、例えば赤、青、緑や金、銀、蛍光色等の特色に対応するものや、インクジェット方式で一般的な淡いシアン、淡いマゼンタなどを加えるものなどさまざまであるが、目的はそれぞれ画質的に差別化することである。
【０００４】
また、画質的に差別化すると共にパフォーマンスも要求されるケースも目立ち、特に複数ページに渡りカラー文書とモノクロ文書が混在している場合に最適な画質及びパフォーマンスでカラー画像出力機器へ印刷したいという要求が高まっている。
【０００５】
例えば、図９ａのような文書を印刷しようとした場合には１ページ目はモノクロ文書のためモノクロページとして処理を行い、２ページ目はカラー文書のためカラーページとして処理を行うことで余分な情報を削除して印刷することが可能となっている（特許文献１参照）。
【特許文献１】特開２００３−３３０６６２号公報
【発明の開示】
【発明が解決しようとする課題】
【０００６】
上述したように、複数ページに渡りモノクロ文書とカラー文書が混在している複合文書を最適に印刷するためにはパフォーマンスと画質の差別化が重要となってくるが、一般的にはモノクロ文書はモノクロ画像としての品位を向上するためにモノクロ用の画像処理を行い、カラー文書にはカラー画像としての品位を向上するためにカラー用画像処理を行う。しかしながら上記処理を例えばプリンタドライバ等で自動的に各ページがフルカラー文書かモノクロ文書かを判断した場合にはページ毎にカラーページ処理命令、モノクロページ処理命令が行われることになり、図９ａのような背景が同一のグレースケールデータであり、テキストが１ページ目がモノクロ印字、２ページ目がフルカラー印字といった場合、図１１ａのようにモノクロページに対してはより鮮明に印字するような処理を行い、カラーページに対してはより階調性を重視するような処理が行われるため同一の背景の濃度差が鮮明に現れてしまう問題が発生し、これを解消するためには、図１１ｂのように印刷モードをフルカラー固定のモードにして全ページをフルカラー処理として行うか、もしくは図１１ｃのように印刷モードをモノクロ固定のモードにして全ページをモノクロ処理として行うことによって解決していた。
【課題を解決するための手段】
【０００７】
本発明は、前記の目的を達成する一手段として、以下の構成を備える。
【０００８】
（１）ホストコンピュータから入力される画像データに基づいて所定の画像処理を行い、前記画像データがフルカラー情報かモノクロ情報かを自動的に判別するための自動判別モードを少なくとも備え、プリンタエンジンから複数の色材を用いて各色別の印刷データの出力を制御するカラー印刷装置の画像処理システムであって、前記自動判別モードに設定するための設定手段と、前記入力された画像データを複数の色材の色数に対応した複数の色成分データへと変換して出力する色変換手段と、前記色変換処理手段により出力された複数の色成分データを一定の線形性を保持する複数の線形色濃度データに変換する濃度補正処理手段と、前記設定手段により設定された結果に基づいて予め記憶しておいた出力濃度特性を設定する出力濃度設定手段と、前記出力濃度設定手段で設定された濃度特性に従って前記濃度補正手段により得られた複数の線形色濃度データを補正する出力濃度補正処理手段と、前記出力濃度補正処理手段により得られた複数の線形色濃度データを擬似階調データに変換する擬似階調処理手段と、前記擬似階調処理手段により得られた擬似階調データの潜像画像データを形成する形成手段と、前記形成手段により形成された潜像画像データを出力画像として印字出力する出力手段とを有することを特徴とする。
【０００９】
（２）上記（１）のカラー画像処理システムにおいて、前記出力濃度設定手段は、フルカラーデータの出力濃度を設定するフルカラー濃度設定手段と、モノクロデータの出力濃度を設定するモノクロ濃度設定手段とを有することを特徴とする。
【００１０】
（３）上記（１）または（２）のカラー画像処理システムにおいて、前記出力濃度特性は少なくともフルカラーデータの再現性を考慮したフルカラー濃度特性とモノクロデータの再現性を考慮したモノクロ濃度特性とを有することを特徴とする。
【００１１】
（４）上記（１）のカラー画像処理システムにおいて、前記設定手段は、ユーザが任意に設定可能なＵＩ操作手段と、前記ＵＩ操作手段により印刷モードを決定する決定手段とを有することを特徴とする。
【００１２】
（５）上記（１）または（４）のカラー画像処理システムにおいて、前記決定手段は入力される画像データの情報に対して少なくとも自動判別モード、フルカラーモード、モノクロモードの３種類の印刷モードから決定され、自動判別モードに設定された場合には自動的にフルカラー濃度設定手段とモノクロ濃度設定手段に同一の濃度特性を有する出力濃度特性を設定することを特徴とする。
【発明の効果】
【００１３】
本実施形態によれば、印刷モード情報により自動判定モードが設定された場合にフルカラー／モノクロ混在複数ページ文書においてページ毎にモノクロ処理、フルカラー処理が適宜切り替えられた場合にも特に背景データがグレースケールであった場合の濃度特性の差異をなくし、且つデータ処理的にも最適なデータ処理が実現可能となり、画像品質とパフォーマンスの両立を効率的に行うことが可能となる。
【発明を実施するための最良の形態】
【００１４】
以下の、本発明にかかる一実施形態のカラー画像印刷装置について図面を参照して詳細に説明する。なお、以下に説明のおいては、本発明を６００ｄｐｉでかつ４色の現像剤がＣ（シアン）、Ｍ（マゼンタ）、Ｙ（イエロー）、Ｋ（ブラック）を有するカラーＬＢＰに適用する実施形態を説明するが、本発明はこれに限られるものではなく、その主旨を逸脱しない範囲で、任意の記録密度のカラープリンタやカラーファクシミリ装置などの画像印刷装置に適用できる。
【実施例】
【００１５】
（第１実施形態）
図１は本発明にかかる一実施形態のカラーＬＢＰの概要を示す図である。
【００１６】
同図において、本実施形態の画像処理システムは、ネットワーク１００を介しホストコンピュータ１０１、カラーＬＢＰ１０２が接続されることにより構成される。
【００１７】
より具体的に説明すると、１００はネットワークであり、一般的にはイーサネット(登録商標)と呼ばれるシステムが知られており、１０ＢａｓｅＴなどの物理的なケーブルを用いてＴＣＰ／ＩＰ当のプロトコルにより、接続される各ユニット相互の情報授受やデータ転送を行うことができる。１０１はホストコンピュータであり、色情報、文字、図形、イメージ画像、コピー枚数等の印刷処理を行う印刷情報をカラーＬＢＰ１０２へ送出する。１０２はカラーＬＢＰであり、相互に同様に機能を有するものである。
【００１８】
次に、図１に示したカラーＬＢＰ１０２の構成についてさらに説明する。
【００１９】
本実施形態のカラーＬＢＰ１０２は画像処理部１０４と制御部１０５が構成され、これらは不図示のバスを介して互いに接続されるとともに、ネットワークインタフェース（以下「ネットワークＩ／Ｆ」という）１０３を介してネットワーク１００と接続されている。画像処理部１０４には画像処理部１０４から送出された画像信号に基づいて実際の画像形成を行うプリンタエンジン１０６が接続されている。制御部１０５はシステム全体の操作を制御するものであり、これはＣＰＵ１０７がＲＯＭ１０８に格納された制御プログラム１０８ａに従って制御部１０５に各種処理の判断、制御を行う制御信号を送信することにより可能となる。またＲＡＭ１０９は前記ＣＰＵ１０７が各制御を行うためのデータを格納するための作業領域１０９ａとして使用される。
【００２０】
図２はカラーＬＢＰ１０２における画像処理部１０４の詳細な構成例を示すブロックであり、これらの図を用いて画像処理部１０４の動作を説明する。
【００２１】
図２において、１４１は受信バッファで、入力された印刷情報を保持する。１４２は色変換モード設定部であり、ホストコンピュータ１０１から入力される解像度情報によって設定される色変換モードに対応する色変換パラメータを色変換パラメータ保持部１４３から選択し、色変換テーブル生成部１４５で色変換テーブルを作成し格納する。１４３は色変換パラメータ保持部であり、上記色変換モードに対応した複数の色変換パラメータを保持しておく、１４４は色変換部であり、ホストコンピュータ１０１から入力される画像データのＲＧＢ形式の印刷情報に対して、色変換テーブル生成部１４５で作成された色変換テーブルを参照し補間処理を行いＣＭＹＫ形式の印刷情報に変換する。１４６は濃度補正処理部であり、色変換部１４４によって変換されたＣＭＹＫ形式の印刷情報に対して、濃度補正テーブル１４７を用いて濃度特性が線形性を保存するような補正処理を行う。１４８はディザマトリクス設定部であり、ホストコンピュータ１０１から入力される４ｂｉｔディザ、２ｂｉｔディザ、１ｂｉｔディザなどのディザモードに対応するディザパラメータをディザパラメータ保持部１４９から選択し、ディザテーブル１５１を作成し格納する。１５０はディザ処理部であり、濃度補正処理部１４６によって補正されたＣＭＹＫ形式の印刷情報に対して、ディザテーブル１５１を参照し比較演算を行いディザモードに対応した階調数の印刷情報に変換する。ディザ処理部の詳細については後述する。１５２はオブジェクト生成部であり、ホストコンピュータ１０１から入力される画像データ等の情報（ページ記述言語）をオブジェクトに変換する。このとき画像データは色変換部１４４、濃度補正処理部１４６、ディザ処理部１５０で変換されたＣＭＹＫ形式のオブジェクトに変換される。１５３オブジェクトバッファであり、オブジェクト生成部１５２で変換されたオブジェクトを１ページ分格納する。１５４はレンダリング部であり、オブジェクトバッファ１５３に格納された１ページ分の該オブジェクトに基づくレンダリング処理を行い、描画対象となるビットマップに変換する。１５５はバンドバッファであり、レンダリング部１５４で生成されたビットマップを格納し、ＰＷＭ処理部１５６にデータを送出する。１５６はＰＷＭ処理部であり、レンダリング部１５４で生成されたビットマップデータに対してＰＷＭパターンテーブル１５７で設定されたパルス幅変調テーブルに基づき、レーザ露光の照射時間に相当するパルス幅で変調処理を行い、プリンタエンジン１０６へ送出する。
【００２２】
次に、図３のフローチャートを用いて、本実施形態のカラーＬＢＰ１０２における画像処理部１０４の動作を詳細に説明する。図３は、本発明に係る画像処理装置における第１のデータ処理手順の一例を示すフローチャートであり、画像処理部１０４の動作手順に対応する。なおＳ３０１〜Ｓ３２３は各ステップを表す。また、図３のフローチャートに示す処理を実現する制御プログラムは、上述したようにＲＯＭ１０８に格納されており、ＣＰＵ１０７により実行される。まずカラーＬＢＰ１０２の初期化処理としてプリンタステータスの初期化、バッファの初期化を行う（Ｓ３０１）。次にホストコンピュータ１０１より印刷データを受信し（Ｓ３０２）、受信バッファ１４１で保持する（Ｓ３０３）。そして受信バッファ１４１から１処理単位分のデータを取り出し（Ｓ３０４）、全てのデータを取り出したか否かを判断する（Ｓ３０５）。Ｓ３０５で終了していないと判断された場合には、１ページ分のデータ処理が終了したか否かを判断する（Ｓ３０６）。Ｓ３０６で終了していないと判断された場合には、印刷データが色情報やカラーイメージ画像等の色関連データであるか否かを判断し（Ｓ３０７）、色関連データである場合には、色変換部１４４においてＲＧＢ形式の色データに対して色変換テーブルを参照し、補間演算することによりＣＭＹＫ形式の色データに変換する（Ｓ３０８）し、濃度補正処理部１４６において、濃度レベルに対して濃度補正テーブル１４７を用いて濃度補正を行う（Ｓ３０９）。次にディザ処理部１５０においてディザテーブル１５１との比較演算を行いディザ処理された色データに変換され（Ｓ３１０）、オブジェクト生成部１５２によりオブジェクトを生成し（Ｓ３１１）、オブジェクトバッファ１５３へ格納し（Ｓ３１２）、Ｓ３０４に戻る。
【００２３】
一方、Ｓ３０７において、色関連データでないと判断された場合には、印刷データが色変換モードデータであるか否かを判断し（Ｓ３１３）、色変換モードデータである場合には、色変換モード設定部１４２において、色変換モードに対応する色変換パラメータにより色変換生成部１４４で色変換テーブル１４５を作成し（Ｓ３１４）、Ｓ３０４に戻る。一方、Ｓ３１３において、色変換モードデータでないと判断された場合には、印刷データがディザモードデータであるか否かを判断し（Ｓ３１５）、ディザモードデータである場合には、マトリクス設定部１４８において、ディザモードに対応するディザパラメータによりディザテーブル１５１を作成し（Ｓ３１６）、Ｓ３０４に戻る。一方、Ｓ３１５において、ディザモードデータでないと判断された場合には、印刷データＰＷＭモードデータであるか否かを判断し（Ｓ３１７）、ＰＷＭモードデータである場合には、ＰＷＭパターンテーブル１５７にＰＷＭパターンテーブルを作成し（Ｓ３１８）、Ｓ３０４に戻る。一方、Ｓ３１７において、ＰＷＭモードデータでないと判断された場合には、印刷データが文字、図形等のマスクデータであるか否かを判断し（Ｓ３１９）、マスクデータである場合にはマスクデータのオブジェクトを作成し（Ｓ３１１）、オブジェクトバッファ１５３へ格納し（Ｓ３１２）、Ｓ３０４に戻る。一方、Ｓ３１９において、マスクデータでないと判断された場合には、データの種類に応じて印刷データ処理を行い（Ｓ３２０）、Ｓ３０４に戻る。
【００２４】
一方、Ｓ３０６において、１ページ分のデータが終了したと判断された場合には、オブジェクトバッファ１５３に保持されたオブジェクトに基づいてレンダリング部１５４によってレンダリング処理を行い（Ｓ３２１）、ビットマップイメージをＰＷＭ処理部１５６によってパルス幅変調処理され（Ｓ３２２）、プリンタエンジン１０６に送信して用紙上に印刷を行う印刷処理を実行する（Ｓ３２３）。一方、Ｓ３０５において、全てのデータが終了したと判断された場合には印刷処理を終了する。
【００２５】
図４は、図２に示したディザ処理部１５０の構成を説明する詳細ブロック図であり、図２の同一のものには同一の符号を付してある。
【００２６】
図４において、１５０１はディザテーブル用のγテーブルを設定するγテーブル設定部であり、ＵＩ操作部２０１より指定されたディザパラメータ及び印刷モードによって制御され、各オブジェクトに対してそれぞれカラー文書時のγテーブルとモノクロ文書時のγテーブルを設定する。１５０２はカラー特性テーブル保持部であり、ディザテーブル１５１で保持しているディザパラメータ全てに対してのγテーブルパラメータ１５０２ａ、１５０２ｂ、１５０２ｃが格納されている。１５０３はモノクロ特性テーブル保持部であり、ディザテーブル１５１で保持しているディザパラメータ全てに対してのγテーブルパラメータ１５０３ａ、１５０３ｂ、１５０３ｃが格納されている。１５０４はγ変換部であり、γテーブル設定部１５０１で設定されたγテーブルを使用して各オブジェクトに対して最適なγ変換処理を行う。１５０５はディザ処理実行部であり、γ変換部１５０４で変換されたデータに対してディザテーブル１５１で保持しているディザパラメータを用いて比較演算によるディザ処理を実行する。
【００２７】
図５は、図４に示したカラー特性テーブル及びモノクロ特性テーブルに基づき入出力特性の一例であり、図５ａはモノクロ特性テーブル保持部１５０３に対する入出力特性図に対応し、図５ｂはカラー特性テーブル保持部１５０２に対する入出力特性図に対応する。
【００２８】
図６はさらに図５に示した各入出力特性をγ変換部１５０４で適用した場合の実際のデータを示す一例であり、図６ａはモノクロ特性テーブル保持部１５０３を適用した場合の変換データに対応し、図６ｂはカラー特性テーブル保持部１５０２を適用した場合の変換データに対応する。
【００２９】
次に、図７のフローチャート及び図８、図９を用いて、本実施形態のカラーＬＢＰ１０２におけるディザ処理部１５０の動作を詳細に説明する。
【００３０】
また、本実施形態において印刷モードを自動判定モード、フルカラーモード、モノクロモードとして以下の動作を説明する。
【００３１】
図７は、本発明に係る画像処理装置における第２のデータ処理手順の一例を示すフローチャートであり、図２に示したディザ処理１５０の動作手順に対応する。なおＳ７０１〜Ｓ７１５は各ステップを示す。また、図７のフローチャートに示す処理を実現する制御プログラムは、上述したようにＲＯＭ１０８に格納されており、ＣＰＵ１０７により実行される。
【００３２】
まず、Ｓ７０１で実際に印刷を行うための印刷ＪＯＢが開始されるとまずγテーブル設定部１５０１の初期化処理としてカラー濃度補正テーブルにカラー特性γテーブルをカラー特性テーブル保持部１５０２より選択設定を行い（Ｓ７０２）、モノクロ濃度補正テーブルにモノクロ特性γテーブルをモノクロ特性テーブル保持部１５０３より選択設定を行う（Ｓ７０３）。次に後述する図８に示すようなＵＩ操作部２０１より指定された印刷モード情報を獲得し、現在の設定が自動判定モードであるか否かを判断し（Ｓ７０４）、自動判定モードであると判断された場合には、γテーブル設定１５０１のモノクロ濃度補正テーブルにカラー特性γテーブルをカラー特性テーブル保持部１５０２より選択設定を行う（Ｓ７０５）。次にＵＩ操作部によってモノクロ中間調特性が変更されたか否かを判断し（Ｓ７０６）、変更されたと判断された場合には、γテーブル設定１５０１のモノクロ濃度補正テーブルにモノクロ特性γテーブルをモノクロ特性テーブル保持部１５０３より選択設定を行う（Ｓ７０７）。次に処理ページがカラーデータであるか否かを判断し（Ｓ７０８）、カラーデータであると判断された場合にはフルカラーページを生成し（Ｓ７０９）、ＪＯＢが終了したか否かを判断し（Ｓ７１０）、終了していると判断された場合には印刷を開始し（Ｓ７１１）、処理を終了する。
【００３３】
一方、Ｓ７１０において、ＪＯＢが終了していないと判断された場合にはＳ７０８に戻る。一方、Ｓ７０８において、処理ページがカラーデータでないと判断された場合にはモノクロデータとして判断しモノクロページを生成し（Ｓ７１２）、Ｓ７１０へ戻る。一方、Ｓ７０６において、モノクロ中間調特性が変更されていないと判断された場合には、Ｓ７０７の処理は行わずＳ７０８の処理以降を行う。
【００３４】
一方、Ｓ７０４において、現在の印刷設定が自動判定モードでないと判断された場合には、フルカラーモードであるか否かを判断し（Ｓ７１３）、フルカラーモードであると判断された場合にはＳ７０９以降の処理を行う。一方、Ｓ７１３において、現在の印刷設定がフルカラーモードでないと判断された場合には、モノクロモードと判断しモノクロ中間調特性が変更されたか否かを判断し（Ｓ７１４）、変更されたと判断された場合にはγテーブル設定１５０１のモノクロ濃度補正テーブルにモノクロ特性γテーブルをモノクロ特性テーブル保持部１５０３より選択設定を行い（Ｓ７１５）、Ｓ７１２以降の処理を行う。一方、Ｓ７１４でモノクロ中間調特性が変更されていないと判断された場合にはＳ７１５の処理は行わない。
【００３５】
図８は、図４に示したＵＩ設定部２０１による印刷モード設定画面及び、モノクロ中間調特性設定画面の一例を示す図であり、ユーザはこのダイアログ上で設定する事が可能となっている。
【００３６】
また、図９は図８の設定に従って印字された結果を示したものである。
【００３７】
ここで図８ａは印刷モードを自動判定モード（表示上はフルカラー／モノクロ自動切替）に設定した場合を想定したＵＩ設定画面であり、この設定によってモノクロ濃度特性は「カラー特性に合わせる」が初期設定され、図９ｂのような背景のグレーデータがモノクロページ判定、フルカラーページ判定されても同様の濃度特性を示すことが可能となる。また、図８ｂは印刷モードをフルカラーモードに設定した場合を想定したＵＩ設定画面であり、この設定ではドライバ上で文書に対してフルカラー／モノクロ判定を行わず全てフルカラー文書として処理されるためモノクロ濃度特性は表示されない。実際の印字結果は自動判定モードと同様に図９ｃのような濃度特性を示すが、データ量としては全てフルカラーデータとなるため冗長度がありパフォーマンスに影響を与える。また、図８ｃは印刷モードをモノクロモードに設定した場合を想定したＵＩ設定画面であり、この設定ではドライバ上で文書に対して全てモノクロ文書として処理されるため、モノクロ濃度特性は「モノクロ重視」が初期設定され、図９ｄのようなモノクロ特有の濃度特性を示す。
【００３８】
さらに、上記ＵＩ操作部２０１の設定は従来手法に対しても設定可能とするために、印刷モードが自動判定モード及びモノクロモード時に対しては手動でモノクロ濃度特性を設定可能としており、これにより仮に従来と同様のフルカラー／モノクロ処理を実現した場合にも簡単に設定可能としている。
【００３９】
以上、説明したように、本実施形態によれば、印刷モード情報により自動判定モードが設定された場合にフルカラー／モノクロ混在複数ページ文書においてページ毎にモノクロ処理、フルカラー処理が適宜切り替えられた場合にも特に背景データがグレースケールであった場合の濃度特性の差異をなくし、且つデータ処理的にも最適なデータ処理が実現可能となり、画像品質とパフォーマンスの両立を効率的に行うことが可能となる。
【００４０】
（他の実施形態）
なお、上記実施形態では、複数の機器から構成されるシステムに適用しても、１つの機器からなる装置に適用してもよい。
【００４１】
また、上記実施形態において、入力データをＲＧＢデータ、出力をＣＭＹＫデータとしたがＬ＊ａ＊ｂ＊、ＸＹＺといったあらゆる色空間表現において運用可能である。
【００４２】
また、本発明において、印刷モード設定をドライバＵＩ操作部として説明したが、画像処理装置そのものに付随するパネルＵＩを使用することにおいても運用可能である。
【００４３】
以下、図１０に示すメモリマップを参照して本発明に係る画像処理装置で読み出し可能なデータ処理プログラムの構成について説明する。
【００４４】
図１０は、本発明に係る画像処理装置で読み出し可能な各種データ処理プログラムを格納する記憶媒体のメモリマップを説明する図である。
【００４５】
なお、特に図示しないが、記憶媒体に記憶されるプログラム群を管理する情報、例えばバージョン情報、作成者等も記憶され、かつ、プログラム読み出し側のＯＳ等に依存する情報、例えばプログラムを識別表示するアイコン等も記憶される場合もある。
【００４６】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００４７】
本実施形態における図３、図７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００４８】
以上のように、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出し実行することによっても、本発明の目的が達成されることは言うまでもない。
【００４９】
この場合、記憶媒体から読み出されたプログラムコード自体が本発明の新規な機能を実現することになり、そのプログラムコードを記憶した記憶媒体は本発明を構成することになる。
【００５０】
プログラムコードを供給するための記憶媒体としては、例えば、フレキシブルディスク、ハードディスク、光ディスク、光磁気ディスク、ＣＤ−ＲＯＭ，ＣＤ−Ｒ、磁気テープ、不揮発性のメモリカード、ＲＯＭ，ＥＥＰＲＯＭ等を用いることができる。
【００５１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【００５２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５３】
本発明は上記実施形態に限定されるものではなく、本発明の趣旨に基づき種々変形（各実施形態の有機的な組み合わせを含む）が可能であり、それらを本発明の範囲から排除するものではない。
【図面の簡単な説明】
【００５４】
【図１】本発明を適用可能な画像記録装置を適用可能な画像処理システムの一例を示すブロック図である。
【図２】図１に示したカラーＬＢＰにおける画像処理部の詳細な構成例を示すブロック図である。
【図３】本発明に係る画像処理装置における第１のデータ処理手順の一例を示すフローチャートである。
【図４】図２に示したディザ処理部の構成を説明する詳細ブロック図である。
【図５】図４に示したモノクロ特性テーブル及びカラー特性テーブルに対応する色変換テーブルに基づく入出力特性図である。
【図６】図４に示したモノクロ特性テーブル及びカラー特性テーブルを適用した印字例である。
【図７】本発明に係る画像処理装置における第２のデータ処理手順の一例を示すフローチャートである。
【図８】図４に示したＵＩ設定部による印刷モード設定画面の一例を示す図である。
【図９】図４に示したＵＩ設定部によって設定された印刷モードに対応する印字結果の一例を示す図である。
【図１０】本発明に係る画像処理装置で読み出し可能な各種データ処理プログラムを格納する記憶媒体のメモリマップを説明する図である。
【図１１】従来例の印刷結果の一例を示す図である。
【符号の説明】
【００５５】
１００  ネットワーク
１０１  ホストコンピュータ
１０２  カラーレーザビームプリンタ（カラーＬＢＰ）
１０３  ネットワークインタフェース（ネットワークＩ／Ｆ）
１０４  画像処理部
１０５  制御部
１０６  プリンタエンジン
１０７  中央演算処理装置（ＣＰＵ）
１０８  リードオンリメモリ（ＲＯＭ）
１０９  ランダムアクセスメモリ（ＲＡＭ）
１４１  受信バッファ
１４２  色変換モード設定部
１４３  色変換パラメータ保持部
１４４  色変換部
１４５  色変換テーブル
１４６  濃度補正処理部
１４７  濃度補正テーブル
１４８  マトリクス設定部
１４９  ディザパラメータ保持部
１５０  ディザ処理部
１５１  ディザテーブル
１５２  オブジェクト生成部
１５３  オブジェクトバッファ
１５４  レンダリング部
１５５  バンドバッファ
１５６  ＰＷＭ処理部
１５７  ＰＷＭパターンテーブル
２０１  ＵＩ操作部
１５０１  γテーブル設定部
１５０２  カラー特性テーブル保持部
１５０３  モノクロ特性テーブル保持部
１５０４  γ変換部
１５０５  ディザ処理実行部
【図１】
2006050298.tif 000003
【図２】
2006050298.tif 000004
【図３】
2006050298.tif 000005
【図４】
2006050298.tif 000006
【図５】
2006050298.tif 000007
【図７】
2006050298.tif 000008
【図１０】
2006050298.tif 000009
【図６】
2006050298.tif 000010
【図８】
2006050298.tif 000011
【図９】
2006050298.tif 000012
【図１１】
2006050298.tif 000013